(57)【特許請求の範囲】
【請求項１】
窓から侵入者が侵入するのを検知する窓用防犯センサであって、次の各構成を有することを特徴とする窓用防犯センサ。
（イ）窓の周辺部分に、この窓を挟むように相対して配置、固定された、中空状の第１の取付ベース及び第２の取付ベース
（ロ）予め定められた内径及び長さを有するパイプ状の太径パイプバーと、この太径パイプバーの内径より小さめの外径及び予め定められた長さを有し、その一方の端側が前記太径パイプバーの一方の端開口部からその内側へと挿入されてこの太径パイプバーと結合する細径バーと、を含み、その全長が調節できる長さ調節型バー
（ハ）前記長さ調節型バーの一方の端部分がその径方向に押し込まれてこの一方の端部分を予め設定された力で係止するバー端係止部を備え、前記第１の取付ベースと結合してこれに固定される第１のバーホルダ
（ニ）前記長さ調節型バーの他方の端部分がその径方向に押し込まれてこの他方の端部分を予め設定された力で係止するバー端係止部を備え、前記第２の取付ベースと結合してこれに固定される第２のバーホルダ
（ホ）前記第１の取付ベースの中空部内に配置されてその一端が定位置に保持された引張りばねと、この引張りばねの他端と前記長さ調節型バーの一方の端部分とを接続する接続線と、を含み、前記長さ調節型バーの一方の端部分が前記第１のバーホルダから離脱したときにこの一方の端部分を設定範囲内に引き止める、バー落下防止部材
（ヘ）前記第２の取付ベースの中空部内に配置、固定され、前記長さ調節型バーの他方の端部分が前記第２のバーホルダのバー端係止部に係止されているか否かにより、その接点の接続状態を変化させるスイッチ
（ト）前記スイッチと接続してこのスイッチの接点の接続状態を監視回路へ伝達する配線
【請求項２】
前記第１の取付ベースは、その中空部が、この中空部内に配置されている引張りばねが横揺れしたとしてもその内側壁面に当接して、前記引張りばねの一端を前記中空部内の定位置に保持する構造、寸法である、請求項１記載の窓用防犯センサ。
【請求項３】
前記スイッチが、磁気感能型のリードスイッチであり、このリードスイッチに対する磁気発生源としてマグネットを用い、このマグネットが、前記長さ調節型バーの他方の端部分に配置、固定された構造である、請求項１記載の窓用防犯センサ。
【請求項４】
前記リードスイッチが配置されている第２の取付ベースの中空部分は、その予め定められた範囲に流動性の絶縁性部材が充填されて固化し、この絶縁性部材内に前記リードスイッチ及びこのリードスイッチと接続する配線が封入された構造である請求項３記載の窓用防犯センサ。
【請求項５】
前記マグネットが配置されている長さ調節型バーの他方の端部分は、そのマグネット配置部分に流動性の絶縁性部材が充填されて固化し、この絶縁性部材内に前記マグネットが封入された構造である請求項３記載の窓用防犯センサ。
【請求項６】
請求項１記載の窓用防犯センサにおける長さ調節型バーが、その一方の端部分に、その細径バーの他方の端側が挿入されてこれを保持、固定するバー端保持部と、このバー端保持部とつながり第１のバーホルダのバー端係止部に押し込まれて係止される係止端部と、を含んで成る細径側プランジャを備え、その他方の端部分に、その太径パイプバーの他方の端側が挿入されてこれを保持、固定するバー端保持部と、このバー端保持部とつながり第２のバーホルダのバー端係止部に押し込まれて係止される係止端部と、を含んで成る太径側プランジャを備えた構造である、窓用防犯センサ。
【発明の詳細な説明】
【０００１】
【発明の属する技術分野】
本発明は窓用防犯センサに関し、特に住宅等の窓から侵入者が侵入するのを検知する窓用防犯センサに属する。
【０００２】
【従来の技術】
住宅等の室内に保管されている現金や貴重品等を盗難から防ぐために、住宅用の防犯システムが普及してきており、この住宅用の防犯システムとして、窓から室内へ侵入者が侵入するのを検知する窓用防犯センサが使用される。このような窓用防犯センサの従来の代表的なものとして、マグネットと、このマグネットの接近、離反により動作するリードスイッチとを組合せて、侵入者が窓を開くとリードスイッチが動作して検知信号を出力する開閉検知型のものがあり、また、アームの一端を窓枠等の一方に回転可能なように保持し、アームの他端にはリードスイッチを配設してこの他端を、マグネットが配置されて窓枠等の他方に固定されたホルダに、着脱可能なように係止しておき、侵入者が窓ガラス等を破壊して侵入すると、侵入者の体がアームに接触してこのアームの他端がホルダから離脱し、リードスイッチの動作状態が変化し検知信号を出力する、アーム他端離脱検知型のものが提案されている。
【０００３】
このような、アーム他端離脱検知型の窓用防犯センサの一例を図４及び図５（ａ），（ｂ）に示す（例えば特開平７−１１４６７５号公報参照）。
この窓用防犯センサは、窓８００ｘの周辺部分、例えば窓枠８３１ｘに取り付けられた第１の取付ベース１００ｘと、この第１の取付ベース１００ｘと相対して窓８００ｘを挟んでこの窓８００ｘの周辺部分、例えば窓枠８３２ｘに取り付けられた第２の取付ベース２００ｘと、パイプ７１０、並びにこのパイプ７１０の一方の端に固定された支点側アームホルダ７２０、及びパイプ７１０の他方の端に固定され磁性体７３６等が配備された、着脱側アームホルダ７３０、を含むアーム組立７００と、このアーム組立７００がその支点側アームホルダ７２０を支点として、窓８００ｘからの侵入者の侵入方向に回転可能なように、支点側アームホルダ７２０を第１の取付ベース１００ｘに取付けるアーム支持体７５０及びねじ７６０と、第２の取付ベース２００ｘ内に配備されて着脱側アームホルダ７３０の磁性体７３６を引寄せ、着脱側アームホルダ７３０を第２の取付ベース２００ｘに係止するマグネット６４０ｘと、着脱側アームホルダ７３０内に配備され、この着脱側アームホルダ７３０が第２の取付ベース２００ｘに係止された状態か否かに伴って第２の取付ベース２００ｘ内のマグネット６４０ｘの磁気力が変化することにより、その接点のオン，オフ状態（接続状態）が変化するリードスイッチ６２０ｘと、このリードスイッチ６２０ｘの接点のオン，オフ状態を、パイプ７１０及び支点側アームホルダ７２０を経由して監視回路（図示省略）へと伝達する配線６３０ｘと、を有する構成、構造となっている。
【０００４】
この窓用防犯センサは、通常、室内側に設置しておいて、着脱側アームホルダ７３０が第２の取付ベース２００ｘに係止されている状態で、マグネット６４０ｘによりリードスイッチ６２０ｘの接点がオン状態となるようにセットしておき配線６３０ｘに電流を流しておく。
【０００５】
窓８００ｘを外側から外したり破壊して侵入者が窓から侵入しようとすると、侵入者の体の一部でアーム組立７００が押され、着脱側アームホルダ７３０が第２の取付ベース２００ｘから離れてアーム組立７００が支点側アームホルダ７２０を支点として回転し、この、着脱側アームホルダ７３０が第２の取付ベース２００ｘから離脱することによって、リードスイッチ６２０ｘの接点はオフ状態となって配線６３０ｘに流れていた電流が遮断され、窓８００ｘからの侵入者の侵入が検知される。
【０００６】
この窓用防犯センサにおいては、着脱側アームホルダ７３０の第２の取付ベース２００ｘへの係止が、着脱側アームホルダ７３０に配備された磁性体７３６を、第２の取付ベース２００ｘ側のマグネット６４０ｘにより吸引することにより行われる。また、窓８００ｘの大きさによって、アーム組立７００の全長を調節する必要があり、この場合には、着脱側アームホルダ７３０をパイプ７１０から取り外し、第２の取付ベース２００ｘに配備されているアーム長設定突片２１０の先端にパイプ７１０の先端が合うようにこのパイプ７１０を切断し、再組立を行う。
【０００７】
この窓用防犯センサでは、侵入者が切断用具等によりパイプ７１０を切断した場合、このパイプ７１０内に通してある配線６３０ｘも切断されるので、これに流れる電流が遮断されて侵入者の侵入が検知される。また、窓８００ｘが横または縦に複数枚に細分化されてその細分化された各窓、すなわち、分割窓８１０ｘを回転可能とした構造の窓の場合（図５（ａ），（ｂ）参照）でも、従来のように細分化された各窓、分割窓それぞれにセンサを設置する必要がなく、これら分割窓８１０ｘ全体の上をアーム組立７００が通るように、第１，第２の取付ベース１００ｘ，２００ｘを、窓８００ｘの両端の窓枠８３１ｘ，８３２ｘに取付ければよいので、安価で、かつ取付けも容易となる。
【０００８】
【発明が解決しようとする課題】
上述した従来の窓用防犯センサは、窓８００ｘを挟んでその両側の窓枠８３１ｘ，８３２ｘに、取付ベース１００ｘ，２００ｘを取り付け、パイプ７１０の一方の端に支点側アームホルダ７２０が、またその他方の端には着脱側アームホルダ７３０が固定されたアーム組立７００を、その支点側アームホルダ７２０を支点として侵入者の侵入方向に回転可能なようにこの支点側アームホルダ７２０を取付ベース１００ｘに取り付け、取付ベース２００ｘ内にマグネット６４０ｘを配備し、着脱側アームホルダ７３０には磁性体７３６を配備してマグネット６４０ｘでこの磁性体７３６を引寄せて取付ベース２００ｘに着脱側アームホルダ７３０を係止するようにし、また、着脱側アームホルダ７３０にはリードスイッチ６２０ｘを配備してその接点が、着脱側アームホルダ７３０の取付ベース２００ｘに対する着脱によりオン，オフ状態が変化するようにし、リードスイッチ６２０ｘの接点のオン，オフ状態を、アーム組立７２０内を通って取付ベース１００ｘ側へと配置された配線６３０ｘにより伝達する構成、構造となっているので、侵入者の窓からの侵入や、侵入者によるパイプ７１０の切断が容易に検出でき、また、複数枚に細分化された窓、分割窓であっても、これら細分化された各窓、分割窓それぞれにセンサを設置する必要がないので、安価で、かつ取付けも容易である、という特徴を有しているが、アーム組立７００内に配線６３０ｘを通す必要があって、構造が複雑でその組立作業が煩雑であり、また、窓の大きさに応じてパイプを切断しなければならず、窓への取付作業が複雑になる、という問題点がある。
【０００９】
本発明の目的は、上述した従来の問題点に鑑みて、構造が単純化されてその組立作業が容易にでき、長さの調節も容易にできて窓への取付作業が容易にでき、製造コスト、及び取付コストを低減することができる窓用防犯センサを提供することにある。
【００１０】
【課題を解決するための手段】
本発明の窓用防犯センサは、窓から侵入者が侵入するのを検知する窓用防犯センサであって、次の各構成を有することを特徴とする。
（イ）窓の周辺部分に、この窓を挟むように相対して配置、固定された、中空状の第１の取付ベース及び第２の取付ベース
（ロ）予め定められた内径及び長さを有するパイプ状の太径パイプバーと、この太径パイプバーの内径より小さめの外径及び予め定められた長さを有し、その一方の端側が前記太径パイプバーの一方の端開口部からその内側へと挿入されてこの太径パイプバーと結合する細径バーと、を含み、その全長が調節できる長さ調節型バー
（ハ）前記長さ調節型バーの一方の端部分がその径方向に押し込まれてこの一方の端部分を予め設定された力で係止するバー端係止部を備え、前記第１の取付ベースと結合してこれに固定される第１のバーホルダ
（ニ）前記長さ調節型バーの他方の端部分がその径方向に押し込まれてこの他方の端部分を予め設定された力で係止するバー端係止部を備え、前記第２の取付ベースと結合してこれに固定される第２のバーホルダ
（ホ）前記第１の取付ベースの中空部内に配置されてその一端が定位置に保持された引張りばねと、この引張りばねの他端と前記長さ調節型バーの一方の端部分とを接続する接続線と、を含み、前記長さ調節型バーの一方の端部分が前記第１のバーホルダから離脱したときにこの一方の端部分を設定範囲内に引き止める、バー落下防止部材
（ヘ）前記第２の取付ベースの中空部内に配置、固定され、前記長さ調節型バーの他方の端部分が前記第２のバーホルダのバー端係止部に係止されているか否かにより、その接点の接続状態を変化させるスイッチ
（ト）前記スイッチと接続してこのスイッチの接点の接続状態を監視回路へ伝達する配線
【００１１】
また、前記第１の取付ベースは、その中空部が、この中空部内に配置されている引張りばねが横揺れしたとしてもその内側壁面に当接して、前記引張りばねの一端を前記中空部内の定位置に保持する構造、寸法である、構成を有し、更に、前記スイッチが、磁気感能型のリードスイッチであり、このリードスイッチに対する磁気発生源としてマグネットを用い、このマグネットが、前記長さ調節型バーの他方の端部分に配置、固定された構造である、構成を有している。
また、前記リードスイッチが配置されている第２の取付ベースの中空部分は、その予め定められた範囲に流動性の絶縁性部材が充填されて固化し、この絶縁性部材内に前記リードスイッチ及びこのリードスイッチと接続する配線が封入された構造であり、前記マグネットが配置されている長さ調節型バーの他方の端部分は、そのマグネット配置部分に流動性の絶縁性部材が充填されて固化し、この絶縁性部材内に前記マグネットが封入された構造である、構成を有している。
【００１２】
また、前記窓用防犯センサにおける長さ調節型バーが、その一方の端部分に、その細径バーの他方の端側が挿入されてこれを保持、固定するバー端保持部と、このバー端保持部とつながり第１のバーホルダのバー端係止部に押し込まれて係止される係止端部と、を含んで成る細径側プランジャを備え、その他方の端部分に、その太径パイプバーの他方の端側が挿入されてこれを保持、固定するバー端保持部と、このバー端保持部とつながり第２のバーホルダのバー端係止部に押し込まれて係止される係止端部と、を含んで成る太径側プランジャを備えた構造である、構成を有している。
【００１３】
【発明の実施の形態】
本発明の一実施の形態は、窓から侵入者が侵入するのを検知する窓用防犯センサであって、次の各構成を有している。すなわち、
（イ）窓の周辺部分に、この窓を挟むように相対して配置、固定された、中空状の第１の取付ベース及び第２の取付ベース
（ロ）予め定められた内径及び長さを有するパイプ状の太径パイプバーと、この太径パイプバーの内径より小さめの外径及び予め定められた長さを有し、その一方の端側が上記太径パイプバーの一方の端開口部からその内側へと挿入されてこの太径パイプバーと結合する細径バーと、を含み、その全長が調節できる長さ調節型バー
（ハ）上記長さ調節型バーの一方の端部分がその径方向に押し込まれてこの一方の端部分を予め設定された力で係止するバー端係止部を備え、上記第１の取付ベースと結合してこれに固定される第１のバーホルダ
（ニ）上記長さ調節型バーの他方の端部分がその径方向に押し込まれてこの他方の端部分を予め設定された力で係止するバー端係止部を備え、上記第２の取付ベースと結合してこれに固定される第２のバーホルダ
（ホ）上記第１の取付ベースの中空部内に配置されてその一端が定位置に保持された引張りばねと、この引張りばねの他端と上記長さ調節型バーの一方の端部分とを接続する接続線と、を含み、上記長さ調節型バーの一方の端部分が上記第１のバーホルダから離脱したときにこの一方の端部分を設定範囲内に引き止める、バー落下防止部材
（ヘ）上記第２の取付ベースの中空部内に配置、固定され、上記長さ調節型バーの他方の端部分が上記第２のバーホルダのバー端係止部に係止されているか否かにより、その接点の接続状態を変化させるスイッチ
（ト）上記スイッチと接続してこのスイッチの接点の接続状態を監視回路へ伝達する配線
このような構成、構造とすることにより、スイッチが、窓の周辺部分に配置、固定された第２の取付ベース内に配設されているので、このスイッチの接点の接続状態を監視回路へ伝達する配線が、この窓用防犯センサの他の部分を経由することなく、直接、監視回路へと配置されて、配線設置が容易である上、構造も単純化されて組立作業が容易となり、また、全体の長さも長さ調節型バーにより容易にできて、窓への取付けも第１，第２の取付ベースを窓の周辺部分にねじ止めした後は、残りの部分を装着するだけで良いので、その取付作業も極めて容易に行うことができ、製造コスト、及び取付コストを低減することができる。
【００１４】
なお、スイッチに、磁気感能型のリードスイッチを用いる場合には、磁気発生源となるマグネットを、長さ調節型バーの他方の端部分に配置、固定すればよい。この場合、リードスイッチ及び配線部分を絶縁性部材で封入し、また更に、マグネットも絶縁性部材で封入すると、風呂場などの湿度の高い場所でも使用できる。また、長さ調節型バーを、その一方の端部分に、その細径バーの他方の端側が挿入されてこれを保持、固定するバー端保持部と、このバー端保持部とつながり第１のバーホルダのバー端係止部に押し込まれて係止される係止端部と、を含んで成る細径側プランジャを備え、その他方の端部分に、その太径パイプバーの他方の端側が挿入されてこれを保持、固定するバー端保持部と、このバー端保持部とつながり第２のバーホルダのバー端係止部に押し込まれて係止される係止端部と、を含んで成る太径側プランジャを備えた構造とすることにより、第１のバーホルダ及び第２のバーホルダを同一構造、同一寸法とすることもできる上、各部の製造、組立作業が容易になって、製造コストを低減することができる。
【００１５】
【実施例】
次に本発明の実施例について図面を参照して説明する。
図１（ａ），（ｂ）は本発明の一実施例を示す平面図及び側面図、並びにその長さ調節型バーの部分の部分断面平面図、図２はこの実施例のものが窓の部分に取付けられた状態を示す側面図である。
この実施例の窓用防犯センサは、窓の周辺部分に取付けられる第１の取付ベース１００及び第２の取付ベース２００、これらに装着、固定される第１のバーホルダ４００及び第２のバーホルダ５００、それらのバーホルダ（４００，５００）に係止される長さ調節型バー３００、バー落下防止部材６１０、並びに配線６３０が接続されたリードスイッチ６２０、及びその磁気発生源のマグネット６４０を含む構成となっており、これらの詳細は次のとおりである。
【００１６】
第１の取付ベース１００及び第２の取付ベース２００（以下単に取付ベース１００、取付ベース２００、ともいう）は、窓８００の周辺部分、例えば窓枠８３１，８３２に、この窓８００を挟むように相対して配置され、取付ねじ１５０，２５０により固定される。また、これら取付ベース１００及び取付ベース２００は中空状となっており、取付ベース１００の中空部内には、一端がこの中空部内の定位置（ばね端保持部１１０）に保持された引張りばね６１１と、この引張りばね６１１の他端と長さ調節型バー３００の一方の端部分（接続線接続部３８０の部分）とを接続する接続線６１２と、が配置、収容されており、取付ベース２００の中空部内にはリードスイッチ６２０が配置、固定されている。
【００１７】
また、取付ベース１００は、その中空部が、この中に配置、収容されている引張りばね６１１が横揺れしたとしてもその内側壁面に当接して、引張りばね６１１の一端を定位置、すなわちばね端保持部１１０に保持するように、はずれ防止側壁１３０を備えた構造、寸法となっており、更に、引張りばね６１１及び接続線６１２が、設定範囲内で円滑に動作するように、ローラ１２０、及びストッパ１４０を備えている。
【００１８】
引張りばね６１１及び接続線６１２は、長さ調節型バー３００の一方の端部分が第１のバーホルダ４００から離脱したときに、この一方の端部分を設定範囲内に引き止める、バー落下防止部材６１０である。
長さ調節型バー３００は、予め定められた内径及び長さを有する太径パイプバー３１０と、この太径パイプバー３１０の内径より小さめの外径、及び予め定められた長さを有し、その一方の端側が太径パイプバー３１０の一方の端開口部からその内側へと挿入されてこれと結合する細径バー３２０と、これら太径パイプバー３１０及び細径バー３２０の間を、その両端間の長さが調節可能なように保持し、固定する継手３３０と、細径バー３２０の他方の端側、すなわち、太径パイプバー３１０との結合端とは異なる端側が挿入されてこれを保持、固定するバー端保持部３４１、及びこのバー端保持部３４１とつながり第１のバーホルダ４００のバー端係止部４１０に押し込まれて係止される係止端部３４２を含んで成る、細径側プランジャ３４０と、太径パイプバー３１０の他方の端側、すなわち、細径バー３２０との結合端とは異なる端側が挿入されてこれを保持、固定するバー端保持部３５１、及びこのバー端保持部３５１とつながり第２のバーホルダ５００のバー端係止部５１０に押し込まれて係止される係止端部３５２を含んで成る、太径側プランジャ３５０と、を備えた構造となっている。
【００１９】
第１のバーホルダ４００（以下、単にバーホルダ４００ともいう）は、長さ調節型バー３００の一方の端部分である細径側プランジャ３４０の係止端部３４２が、その径方向、すなわち、長さ調節型バー３００の長手方向と直交する方向に押し込まれて（図２の矢印Ａ）、この係止端部３４２を予め設定された力で係止するバー端係止部４１０を備え、取付ベース１００と結合してこれに固定される。バー端係止部４１０はまた、接続線接続部３８０で接続線６１２の端に接続されている。
【００２０】
第２のバーホルダ５００（以下、単にバーホルダ５００ともいう）は、長さ調節型バー３００の他方の端部分である太径側プランジャ３５０の係止端部３５２が、その径方向、すなわち、長さ調節型バー３００の長手方向と直交する方向に押し込まれて（図２の矢印Ａ）、この係止端部３５２を予め設定された力で係止するバー端係止部５１０を備え、取付ベース２００と結合してこれに固定される。
【００２１】
また、長さ調節型バー３００の太径側プランジャ３５０の、係止端部３５２には、マグネット６４０が配置、固定されていて、この係止端部３５２が、バーホルダ５００のバー端係止部５１０に係止されている状態では、リードスイッチ６２０の接点をオン状態とし、バー端係止部５１０から脱落した状態ではリードスイッチ６２０の接点をオフ状態とする（接点のオン状態、オフ状態は、この例とは逆であってもよい）。
そして、リードスイッチ６２０の接点がオン状態であるかオフ状態であるかの情報は、配線６３０によって、図示省略されている監視回路に伝達される。
【００２２】
この実施例は通常、取付ベース１００及びバーホルダ４００と、取付ベース２００及びバーホルダ５００とが、窓８００の内側（室内側）に、この窓８００を挟んで相対する位置の、例えば図２に示すように、窓枠８３１と窓枠８３２とに対応、配設されて、長さ調節型バー３００が、その細径側プランジャ３４０の係止端部３４２をバーホルダ４００のバー端係止部４１０に押し込み係止し、その太径側プランジャ３５０の係止端部３５２をバーホルダ５００のバー端係止部５１０に押し込み係止して、これらバーホルダ４００，５００に保持されている。
【００２３】
侵入者が窓８００等を破壊して室内に侵入すると、侵入者の体が長さ調節型バー３００に触れて、この長さ調節型バー３００がバーホルダ４００，５００から脱落し、その結果、リードスイッチ６２０の接点の接続状態（オン状態かオフ状態か）が変化し、この変化が、配線６３０により監視回路に送られて、侵入者が室内に侵入したことを検知することができる。
【００２４】
この実施例では、リードスイッチ６２０が、窓枠８３２等に配設されている取付ベース２００内に配置されているので、その接点の接続情報を伝達する配線６３０を、この窓用防犯センサの他の部分を経由することなく直接、監視回路へと伝達するように配置すればよく、全体の構造も単純化することができる。また、長さ調節型バー３００は、従来例のようなパイプ切断などの工事もなく、その全長を簡単な操作で変えることもでき、この窓用防犯センサの最大寸法以下のサイズの窓であれば、極めて容易に適用することができる。また、窓への取付けは、取付ベース１００，２００を窓枠等にねじ止めして取付けた後、残りの部分は、順次、装着するだけで良い。
従って、組立作業を含む製造コスト、及び取付コストを低減することができる。
【００２５】
この実施例では、長さ調節型バー３００が、その両端部分に、細径側プランジャ３４０及び太径側プランジャ３５０を備えた構造となっているが、これらプランジャを無くして、細径バー３２０の他端部分、及び太径パイプバーの他端部分を、直接、バーホルダのバー端係止部に押込み、係止する構造とすることもできる。この場合は、バーホルダのバー端係止部の寸法を、細径バー及び太径パイプバーの寸法に合わせる必要がある。この実施例のように、細径側プランジャ３４０及び太径側プランジャ３５０を備えた構造にすると、各係止端部３４２，３５２の寸法を同一にすることができて、バーホルダ４００，５００を同一形状、同一寸法とすることができ、製造コストを低減することができる。
【００２６】
また、この実施例では、長さ調節型バー３００の、バーホルダ４００，５００からの脱落をリードスイッチ６２０及びマグネット６４０によって検出する構成となっているが、係止、脱落を機械的に接点のオン、オフ動作とする、機械的なスイッチ、例えばマイクロスイッチであってもよい。
また、この実施例では、取付ベース取付面と長さ調節型バー３００との間が広く取れるので、その間に網戸８５０を配置することができる。
【００２７】
なお、この実施例では、リードスイッチ６２０がむき出しのまま、取付ベース２００の中空部内に配置、固定された状態となっており、また、マグネット６４０もそのまま、長さ調節型バー３００の他方の端部分の、係止端部３５２に配置、固定された状態となっているが、図３に示すように、流動性の絶縁性部材を充填してこれを固化した、リードスイッチ封入部材６５０内に、リードスイッチ６２０及びこれと接続する配線６３０を封入し、また、マグネット封入部材６６０内に、マグネット６４０を封入した構造とすることにより、風呂場などのように、湿度の高い場所でも使用することができる。
【００２８】
【発明の効果】
以上説明したように本発明は、窓の周辺部分に、この窓を挟んで相対して配設された、中空状の１対の取付ベースと、太径パイプバー、及びこの太径パイプバーの内側に挿入されてこれと結合する細径バーを含んで成り、その全長が調節できる長さ調節型バーと、この長さ調節型バーの両端部分が押し込まれてこれを係止し、１対の取付ベースと結合してこれに固定される１対のバーホルダと、一方の取付ベースの中空内部に配備されてその一端が固定された引張りばね、及びこの引張りばねの他端と長さ調節型バーの一端とを接続する接続線を含み、長さ調節型バーがバーホルダから離脱したときに、これを設定範囲内に引き止めるバー落下防止部材と、他方の取付ベースの中空内部に配備されて、長さ調節型バーがバーホルダに係止されているか否かで接点の接続状態が変化するスイッチと、このスイッチの接点の接続状態を監視回路へ伝達する配線と、を有する構成、構造とすることにより、配線を、この窓用防犯センサの他の部分を引きまわさなくて済むので、全体の構造を単純化することができると同時に、組立作業、取付作業を容易にすることができ、また、長さ調節型バーの簡単な操作でその全長を極めて容易に変えることができるので、各種の寸法の窓に対しても容易に適用することができて、その取付作業が容易になり、従って、組立作業を含む製造コスト、及び取付コストを低減することができる効果がある。
【図面の簡単な説明】
【図１】本発明の一実施例を示す平面図及び側面図、並びにその長さ調節型バーの部分の部分断面平面図である。
【図２】図１に示された実施例の、窓部分に取付けられた状態を示す側面図である。
【図３】本発明の他の実施例を示す平面図及び側面図である。
【図４】従来の窓用防犯センサの一例を示す、平面図及び側面図、並びに他方から見た断面側面図である。
【図５】図４に示された窓用防犯センサの窓部分に取付けられた状態を示す平面図、及びその侵入者の侵入検知動作を説明するための側面図である。
【符号の説明】
１００，１００ｘ  取付ベース
１１０  ばね端保持部
１２０  ローラ
１３０  はずれ防止側壁
１４０  ストッパ
２００，２００ｘ  取付ベース
２１０  アーム長設定突片
３００  長さ調節型バー
３１０  太径パイプバー
３２０  細径バー
３３０  継手
３４０  細径側プランジャ
３４１  バー端保持部
３４２  係止端部
３５０  太径側プランジャ
３５１  バー端保持部
３５２  係止端部
４００  バーホルダ
４１０  バー端係止部
５００  バーホルダ
５１０  バー端係止部
６１０  バー落下防止部材
６１１  引張りばね
６１２  接続線
６２０，６２０ｘ  リードスイッチ
６３０，６３０ｘ  配線
６４０，６４０ｘ  マグネット
６５０  リードスイッチ封入部材
６６０  マグネット封入部材
７００  アーム組立
７１０  パイプ
７２０  支点側アームホルダ
７３０  着脱側アームホルダ
７５０  アーム支持体
８００，８００ｘ  窓
８１０ｘ  分割窓
８３１，８３１ｘ，８３２，８３２ｘ  窓枠
８５０  網戸
【図１】
0003833527.tif 000002
【図２】
0003833527.tif 000003
【図３】
0003833527.tif 000004
【図４】
0003833527.tif 000005
【図５】
0003833527.tif 000006